(57)【要約】【課題】確実に毛髪の巻き込みを防止できる髪止め具を提供する。【解決手段】髪留め具Ａは、一対の挟持片１、２の開閉操作部１ｂ、２ｂ側の一端部の内面に、一対の軸受突片３、３、４、４が突設され、これら軸受突片３、４を介して両挟持片１、２が組み合わされると共に、前記軸受突片３、４に挿通された枢軸５に巻きばね６が巻装されて他端部１ａ、２ａどうしが閉じ合わせ方向に付勢されてなる。そして、外側に位置する一対の軸受突片３、３間に、前記枢軸５よりも他端部１ａ、２ａ側に位置する側縁に沿って、内側に位置する一対の軸受突片４、４の側縁を覆う毛髪巻き込み防止部７が架設されると共に、毛髪巻き込み防止部７は、両挟持片１、２の閉じ合わせ状態の下で、枢軸５の下方にまで延設されてなる一方、内側の軸受突片４の下端部に切欠部４ｂが設けられている。【選択図】　　図１
2004016316.tif 000002
【特許請求の範囲】
【請求項１】
一対の挟持片（１）（２）の開閉操作部（１ｂ）（２ｂ）側の一端部の内面に、対応する挟持片（２）（１）に向かって突出する一対の軸受突片（３）（３）（４）（４）が突設され、これら軸受突片（３）（３）（４）（４）を介して両挟持片（１）（２）が組み合わされると共に、前記軸受突片（３）（３）（４）（４）に挿通された枢軸（５）に巻きばね（６）が巻装され、該巻きばね（６）により両挟持片（１）（２）の他端部（１ａ）（２ａ）どうしが常に閉じ合わせ方向に付勢されてなる髪止め具において、
相接する軸受突片（３）（３）（４）（４）のうち、外側に位置する一対の軸受突片（３）（３）間に、前記枢軸（５）よりも他端部（１ａ）（２ａ）側に位置する側縁に沿って、内側に位置する一対の軸受突片（４）（４）の側縁を覆う毛髪巻き込み防止部（７）が架設されると共に、
毛髪巻き込み防止部（７）は、両挟持片（１）（２）の閉じ合わせ状態の下で、少なくとも枢軸（５）の下方にまで延設されてなる一方、内側に位置する軸受突片（４）（４）の下端部に前記毛髪巻き込み防止部（７）に対応する切欠部（４ｂ）（４ｂ）が設けられてなることを特徴とする髪止め具。
【請求項２】
外側に位置する軸受突片（３）（３）の枢軸貫通孔（３ａ）（３ａ）周縁外面に、毛髪巻き込み防止用環状突部（８）（８）が形成され、該環状突部（８）（８）内に枢軸（５）両端の抜け止め部（５ａ）（５ｂ）が位置されてなる請求項１に記載の髪止め具。
【請求項３】
頭髪に装着した状態の下で外側に位置する挟持片（１）が、合成樹脂から作製されてなる請求項１又は２に記載の髪止め具。
【発明の詳細な説明】
【０００１】
【発明の属する技術分野】
この発明は、ばね力を利用して毛髪を挟みつける髪止め具、主としてヘアーセット、化粧等の際に一時的に毛髪を挟みつけるために使用される髪止め具に関する。
【０００２】
【従来の技術】
従来、この種の髪止め具として図５及び図６に示すように、一対の挟持片（５１）（５２）が、長さ方向一端の開閉操作部（５１ｂ）（５２ｂ）側において互いに組み合わされると共に、巻きばね（５６）により、両挟持片（５１）（５２）の他端部どうしが常に閉じ合わせ方向に付勢されてなる髪止め具（Ｂ）が公知である。
【０００３】
この髪止め具（Ｂ）は、両挟持片（５１）（５２）の開閉操作部（５１ｂ）（５２ｂ）側の一端部の内面に、対応する挟持片（５２）（５１）に向かって突出する一対の軸受突片（５３）（５３）（５４）（５４）が突設され、これら軸受突片（５３）（５３）（５４）（５４）の組み合わせにより両挟持片（５１）（５２）が組み合わされると共に、軸受突片（５３）（５３）（５４）（５４）に挿通された枢軸となるリベット（５５）に巻きばね（５６）が巻装されることにより、両挟持片（５１）（５２）の他端部（５１ａ）（５２ａ）どうしが常に閉じ合わせ方向に付勢されてなるものである。
【０００４】
従って、不使用時においては、両挟持片（５１）（５２）の他端部（５１ａ）（５２ａ）どうしが閉じ合わさっており、使用時に開閉操作部（５１）（５２）を操作することにより、他端部の閉じ合わせの解除、すなわち両挟持片（５１）（５２）の軸受突片（５３）（５３）（５４）（５４）前方から前記他端部に亙る領域の間隔を広げ、両挟持片（５１）（５２）間に毛髪を束ねるように挟み込むものとなされている。
【０００５】
【発明が解決しようとする課題】
ところが、一方の挟持片（５１）の軸受突片（５３）（５３）と他方の挟持片（５２）の軸受突片（５４）（５４）との間は、両軸受突片（５３）（５３）（５４）（５４）が相対的に回動しうるように、実際には、太さ０．０１ｍｍ程度の毛髪が入り込みうる隙間が開いているものである。また、リベット頭部（５５ａ）と軸受突片（５３）との間及びリベットかしめ部（５５ｂ）と軸受突片（５３）との間もそれらが相対的に回動するように、太さ０．０１ｍｍ程度の毛髪が入り込みうる隙間が開いているものである。
【０００６】
従って、前記のように毛髪を両挟持片（５１）（５２）間に束ねるように挟み込んだ際に、一方の挟持片（５１）の軸受突片（５３）（５３）と他方の挟持片（５２）の軸受突片（５４）（５４）との間、あるいはリベット頭部（５５ａ）又はリベットかしめ部（５５ｂ）と軸受突片（５３）（５３）との間に１ないし複数本の毛髪が不本意にも巻き込まれてしまっていることがある。それに気付かずに、束ねた毛髪から髪止め具（Ｂ）を外そうとすると、前記巻き込まれた１ないし複数本の毛髪が、一方の挟持片（５１）の軸受突片（５３）（５３）と他方の挟持片（５２）の軸受突片（５４）（５４）との間、あるいはリベット頭部（５５ａ）又はリベットかしめ部（５５ｂ）と軸受突片（５３）（５３）との間から抜脱するのではなく、頭から抜け落ちてしまうことがある。このような、毛髪が髪止め具（Ｂ）に引っ張られて抜け落ちることによる痛みはもとより、頭から毛髪が抜け落ちること自体が極めて不快感を催すものである。
【０００７】
このような事情に鑑みて、本出願人は特願平１１−１４６５９９号において、外側に位置する一対の軸受突片（５３）（５３）の側縁に、夫々に対応する内側の軸受突片（５４）に被さる毛髪巻き込み防止部を設けた髪止め具を提案した。
【０００８】
しかしながら、上記髪止め具においても、内側に位置する一対の軸受突片間の空間に毛髪が巻き込まれることがあった。このため、さらなる改善が求められている。
【０００９】
而してこの発明は、確実に毛髪の巻き込みを防止できる髪止め具の提供を目的とする。
【００１０】
【課題を解決するための手段】
前記目的を達成するために、この発明は、一対の挟持片（１）（２）の開閉操作部（１ｂ）（２ｂ）側の一端部の内面に、対応する挟持片（２）（１）に向かって突出する一対の軸受突片（３）（３）（４）（４）が突設され、これら軸受突片（３）（３）（４）（４）を介して両挟持片（１）（２）が組み合わされると共に、前記軸受突片（３）（３）（４）（４）に挿通された枢軸（５）に巻きばね（６）が巻装され、該巻きばね（６）により両挟持片（１）（２）の他端部（１ａ）（２ａ）どうしが常に閉じ合わせ方向に付勢されてなる髪止め具において、
相接する軸受突片（３）（３）（４）（４）のうち、外側に位置する一対の軸受突片（３）（３）間に、前記枢軸（５）よりも他端部（１ａ）（２ａ）側に位置する側縁に沿って、内側に位置する一対の軸受突片（４）（４）の側縁を覆う毛髪巻き込み防止部（７）が架設されると共に、
毛髪巻き込み防止部（７）は、両挟持片（１）（２）の閉じ合わせ状態の下で、少なくとも枢軸（５）の下方にまで延設されてなる一方、内側に位置する軸受突片（４）（４）の下端部に前記毛髪巻き込み防止部（７）（７）に対応する切欠部（４ｂ）（４ｂ）が設けられてなることを特徴とする髪止め具、を要旨とする。
【００１１】
この発明によれば、外側に位置する一対の軸受突片間に、前記枢軸よりも他端側にある側縁に沿って、内側に位置する一対の軸受突片の側縁を覆う毛髪巻き込み防止部が設けられ、相接する内外の軸受突片間の隙間および内側の軸受突片間の空間が前記毛髪巻き込み防止部により覆われることになるので、これらの隙間や空間への毛髪の巻き込みが防止される。これにより、頭髪への装着状態から髪止め具を外す際に、１ないし複数本の毛髪が髪止め具に引っ張られて抜け落ちることによる痛み、不快感を使用者に感じさせることがない。しかも、毛髪巻き込み防止部が軸受突片の側縁に沿って設けられているので、軸受突片の補強、ひいては挟持片の補強もなされ、より耐久性に優れた髪止め具を提供できる。
【００１２】
また本発明においては、前記毛髪巻き込み防止部は、両挟持片の閉じ合わせ状態の下で、枢軸の下方にまで延設されてなる一方、内側に位置する軸受突片の下端部に前記毛髪巻き込み防止部に対応する切欠部が設けられてなるものであるため、相接する軸受突片間の隙間が広く覆われることになる。
【００１３】
また本発明においては、髪止め具に、枢軸であるリベット頭部又はかしめ部と軸受突片との間の隙間を覆う環状突部を設け、リベット頭部又はかしめ部等の枢軸抜け止め部と軸受突片との間の隙間に毛髪が巻き込まれることがないようにするのが良い。
【００１４】
すなわち本発明は、外側に位置する軸受突片の枢軸貫通孔周縁外面に、毛髪巻き込み防止用環状突部が形成され、該環状突部内に枢軸両端の抜け止め部が位置されてなる構成を採用するのが良い。
【００１５】
この構成においては、外側に位置する軸受突片の枢軸貫通孔周縁外面に、毛髪巻き込み防止用環状突部が形成され、該環状突部内に枢軸両端の抜け止め部が位置されるものとなされ、枢軸の抜け止め部と軸受突片との間の隙間が前記環状突部により覆われることになるので、該隙間への毛髪の巻き込みが防止される。これにより、頭髪への装着状態から髪止め具を外す際に、１ないし複数本の毛髪が髪止め具に引っ張られて抜け落ちることによる痛み、不快感を使用者に感じさせることがない。しかも、毛髪巻き込み防止用環状突部が形成されることにより、軸受突部の補強、ひいては挟持片の補強がなされるので、より耐久性に優れた髪止め具を提供できる。
【００１６】
前記毛髪巻き込み防止用環状突部の態様は、突条であっても良いし、枢軸貫通孔周縁を最高位置とし、軸受突片の端部に周縁に行くにしたがって漸次低くなって行くような軸受突片外面全体がスロープ状に形成されたものであっても良い。
【００１７】
また、頭髪に装着した状態の下で外側に位置する挟持片を合成樹脂から作製することが望ましい。金属板から作製するよりも、色付け、形状等のバリエーションを豊富にしやすく、他方の挟持片が金属板製である場合、該金属板製の挟持片の軸受突片を覆い隠すことになり、装飾性もより一層向上されるからである。もとより、この挟持片を、アルミニウム，ステンレス等の金属板から作製することは任意である。
【００１８】
前記挟持片に対して、頭髪に装着した状態の下で内側（頭側）に位置する挟持片も合成樹脂から作製しても良いし、アルミニウム、ステンレス等の金属板から作製しても良い。
【００１９】
【発明の実施の形態】
以下、この発明を図面に示す一実施形態に基づいて説明する。
【００２０】
この実施形態の髪止め具（Ａ）は、図に示すように鶴の嘴状に形成された一対の挟持片（１）（２）が、長さ方向一端の開閉操作部（１ｂ）（２ｂ）側において、組み合わされると共に、枢軸（５）に巻装された巻きばね（６）により、他端部（１ａ）（２ａ）どうしが、常に閉じ合わせ方向に付勢されてなるものである。
【００２１】
頭髪への装着状態の下で、外側に位置する挟持片（１）は、半硬質の合成樹脂から作製され、開閉操作部（１ｂ）側の一端部の内面に、対向する他方の挟持片（２）に向かって突出する一対の軸受突片（３）（３）が間隔を置いて突設されている。これらの軸受突片（３）（３）には、中央部にリベットからなる枢軸（５）が貫挿される枢軸貫通孔（３ａ）（３ａ）が設けられている。また、これらの軸受突片（３）（３）間には、前記枢軸（５）よりも他端部（（１ａ）（２ａ）側に位置する側縁に沿って、毛髪巻き込み防止部（７）が、相接する他方の挟持片（２）の軸受突片（４）（４）の側縁を覆うように架設されている。この巻き込み防止部（７）は、図４（イ）に示されるように、両挟持片（１）（２）の閉じ合わせ状態の下で、枢軸（５）の下方にまで延設され、図４（ロ）に示すように両挟持片（１）（２）を大きく広げた際にも、できるだけ広い範囲に亘って、内外の軸受突片（３）（４）間の隙間および内側の軸受突片（４）（４）の空間を覆いうるものとなされている。
【００２２】
また、この軸受突片（３）の前記枢軸貫通孔（３ａ）（３ａ）周縁外面には、毛髪巻き込み防止用環状突部（８）（８）が形成され、該環状突部（８）（８）内に枢軸であるリベット（５）の抜け止め部としての頭部（５ａ）又はかしめ部（５ｂ）が位置するものとなされている。
【００２３】
他方の挟持片（２）は、アルミニウム等の耐腐食性に富みかつ軽量の金属板からプレス成形されてなるもので、前記合成樹脂製挟持片（１）に向かって突出し、前記挟持片（１）の軸受突片（３）（３）に相接して組み合わされる一対の軸受突片（４）（４）が突設されている。この軸受突片（４）（４）は、いずれも前記組み合わせ時に、図２（ロ）に示すように前記挟持片（１）の軸受突片（３）（３）の内側から該軸受突片（３）（３）に相接するものと設定されている。また、この軸受突片（４）（４）は、前記枢軸貫通孔（３ａ）（３ａ）に対応する枢軸貫通孔（４ａ）（４ａ）を備え、枢軸（５）が挿通しうるものとなされている。さらに、前記軸受突片（４）（４）の下端部には前記毛髪巻き込み防止部（７）に対応して該毛髪巻き込み防止部（７）が導入される切欠部（４ｂ）（４ｂ）が設けられている。
【００２４】
なおこの発明において、前記切欠部（４ｂ）は毛髪巻き込み防止部（７）を導入しうる空間であれば良く、図示例の軸受突片の基端部を角状に切り欠くことによって形成されるものに限定されない。例えば、軸受突片を挟持片（２）の他端側になだらかに突き出すように設けることによっても、毛髪巻き込み防止部（７）の導入用空間を形成することができる。
【００２５】
上記説明からも明らかなように、一方の挟持片（１）の軸受突片（３）（３）を、他方の挟持片（２）の軸受突片（４）（４）の内側に接するようにして両挟持片（１）（２）を組み合わせた後、巻きばね（６）を巻装したリベット（５）を枢軸貫通孔（３ａ）（３ａ）（４ａ）（４ａ）に挿通し、先端のかしめ部（５ａ）をかしめることにより両挟持片（１）（２）を連結するのである。
【００２６】
以上の構成により、前記髪止め具（Ａ）において巻き込み防止部（７）を設けることにより、相接するように配置された内外の軸受突片（３）（４）間の隙間、および内側の軸受突片（４）（４）間の空間に毛髪が入り込むのが防止される。
【００２７】
【発明の効果】
上述の次第で、この発明に係る髪止め具は、枢軸が挿通され互いに相接する軸受突片のうちの外側に位置する軸受突片間に、前記枢軸よりも他端部側に位置する側縁に沿って、内側に位置する軸受突片の側縁を覆う毛髪巻き込み防止部が設けられ、相接する内外の軸受突片間の隙間および内側の軸受突片間の空間が前記毛髪巻き込み防止部により覆われることになるので、これらの隙間や空間への毛髪の巻き込みが防止される。これにより、頭髪への装着状態から髪止め具を外す際に、１ないし複数本の毛髪が髪止め具に引っ張られて抜け落ちることによる痛み、不快感を使用者に感じさせることがない。しかも、毛髪巻き込み防止部が、軸受突片の側縁に沿って設けられているので、軸受突片の補強、ひいては挟持片の補強もなされ、より耐久性に優れたものとなしうる。
【００２８】
また、前記毛髪巻き込み防止部が、両挟持片の閉じ合わせ状態の下で、枢軸の下方にまで延設されてなる一方、内側に位置する軸受突片の下端部に前記毛髪巻き込み防止部に対応する切欠部が設けられてなるものであるため、上記隙間が広く覆われることになり、より一層、毛髪の巻き込みを防止できる。
【００２９】
この発明に係る髪止め具は、外側に位置する軸受突片の枢軸貫通孔周縁外面に、毛髪巻き込み防止用環状突部が形成され、該環状突部内に枢軸両端の抜け止め部が位置されるものとなされ、枢軸の抜け止め部と軸受突片との間の隙間が前記環状突部により覆われることになるので、該隙間への毛髪の巻き込みが防止される。これにより、頭髪への装着状態から髪止め具を外す際に、１ないし複数本の毛髪が髪止め具に引っ張られて抜け落ちることによる痛み、不快感を使用者に感じさせることがない。しかも、環状突部が形成されることにより、軸受突部の補強がなされるので、より耐久性に優れたものとなしうる。
【００３０】
また、この発明に係る髪止め具において、頭髪に装着した状態の下で外側に位置する挟持片が、合成樹脂から作製される場合には、色付け、形状等のバリエーションを豊富にしやすく、装飾性を高めうる。
【図面の簡単な説明】
【図１】この発明に係る髪止め具の一実施形態の斜視図である。
【図２】（イ）は、図１のＩＩ−ＩＩ線断面図、（ロ）は、図１のＩＩＩ　−ＩＩＩ　線断面図である。
【図３】同分解状態の斜視図である。
【図４】同作動状態を示す側断面図である。
【図５】従来の髪止め具の斜視図である。
【図６】図５のＶ−Ｖ線断面図である。
【符号の説明】
Ａ…髪止め具
１…挟持片
１ａ、２ａ…他端部
２…挟持片
３…軸受突片
３ａ…枢軸貫通孔
４…軸受突片
４ｂ…切欠部
５…枢軸
５ａ、５ｂ…抜け止め部
７…毛髪巻き込み防止部
８…環状突部
【図１】
2004016316.tif 000003
【図２】
2004016316.tif 000004
【図３】
2004016316.tif 000005
【図４】
2004016316.tif 000006
【図５】
2004016316.tif 000007
【図６】
2004016316.tif 000008